(57)【要約】  本発明によるスマートウィンドウシステムは，ポリマー分散液晶層と，前記ポリマー分散液晶層の両側面にそれぞれ設けられると共に，それぞれが多数の分割電極からなる透明導電性の第１及び第２の電極層と，前記第１及び第２の電極層のそれぞれの外側面にそれぞれ設けられると共に，透明な高分子基材からなる第１及び第２の板と，からなるポリマー分散液晶(PDLC)パネルと，前記第２板の一面に設けられ，前記ポリマー分散液晶パネルを所望の接着部位に着脱可能に付着させる粘着シートと，携帯用通信機器から出力される信号を受信する受信部と，前記受信部に受信される携帯用通信機器の信号により，前記第１及び第２の電極層のそれぞれの駆動を制御する，前記第１及び第２の電極層のそれぞれの分割電極に連結される第１及び第２のコントローラと，を備えることができる。【選択図】図２
2016533445.tif 000002
【特許請求の範囲】
【請求項１】
ポリマー分散液晶層と，前記ポリマー分散液晶層の両側面にそれぞれ設けられると共に，それぞれが多数の分割電極からなる透明導電性の第１及び第２の電極層と，前記第１及び第２の電極層のそれぞれの外側面にそれぞれ設けられると共に，透明な高分子基材からなる第１及び第２の板と，からなるポリマー分散液晶(PDLC)パネルと，前記第２板の一面に設けられ，前記ポリマー分散液晶パネルを所望の接着部位に着脱可能に付着させる粘着シートと，携帯用通信機器から出力される信号を受信する受信部と，前記受信部に受信される携帯用通信機器の信号により，前記第１及び第２の電極層のそれぞれの駆動を制御する，前記第１及び第２の電極層のそれぞれの分割電極に連結される第１及び第２のコントローラと，を備えるスマートウィンドウシステム。
【請求項２】
前記第１の電極層は，前記分割電極がストライプ又は格子状に分割形成される請求項１記載スマートウィンドウシステム。
【請求項３】
前記第２の電極層は，前記分割電極がストライプ又は格子状に分割形成される請求項１又は２記載のスマートウィンドウシステム。
【請求項４】
前記第１及び第２の電極層は，それぞれの分割電極がストライプ状に分割形成され，互いに直交する方向に配列される請求項１記載のスマートウィンドウシステム。
【請求項５】
前記分割電極は，互いの間隔が２０〜１００μｍである請求項１記載のスマートウィンドウシステム。
【請求項６】
前記第１又は第２の板は，前記第１又は第２の高分子基材が，ポリエステルフィルム，ポリカーボネイトフィルム，ポリメチルメタクリレートフィルム，及びポリエチレンナフタレートフィルムからなる群から選択される請求項１記載のスマートウィンドウシステム。
【請求項７】
前記第１板は，硬度が３〜７Ｈである請求項１又は６記載のスマートウィンドウシステム。
【請求項８】
前記粘着シートは，ベースフィルムと，前記ベースフィルムの両側面にそれぞれ形成され，相違した剥離力を有する第１及び第２の粘着層と，を有する請求項１記載のスマートウィンドウシステム。
【請求項９】
前記第１又は第２の粘着層は，アクリル系粘着剤及びシリコン系粘着剤のいずれか一つ又は全部を主成分としてなる請求項８記載のスマートウィンドウシステム。
【請求項１０】
前記第１又は第２の粘着層は，ＵＶ吸収物質及び帯電防止剤のいずれか一つ又は全部を含む請求項８又は９記載のスマートウィンドウシステム。
【請求項１１】
前記スマートウィンドウシステムは，ハードコート層，ＵＶ吸収層，赤外線遮断層のいずれか一つ又はそれらの組合せを含む請求項１記載のスマートウィンドウシステム。
【請求項１２】
アプリケーションの駆動により，前記第１及び第２の電極層のそれぞれの分割電極による領域別光透過率を独立して制御するための信号を，前記受信部に受信させる携帯用通信機器と，前記受信部に受信された信号に応じて，前記第１及び第２のコントローラの動作を制御する主制御部と，をさらに有する請求項１記載のスマートウィンドウシステム。
【請求項１３】
前記第１及び第２の電極層のそれぞれの分割電極による領域別光透過率を独立して制御するための信号を，前記受信部に受信させるリモコンと，前記受信部に受信された信号に応じて，前記第１及び第２のコントローラの動作を制御する主制御部と，をさらに有する請求項１記載のスマートウィンドウシステム。
【請求項１４】
前記第１及び第２の電極層のそれぞれの分割電極による領域別光透過率を独立して制御するための信号を，前記受信部に受信させるタッチパネルと，前記受信部に受信された信号に応じて，前記第１及び第２のコントローラの動作を制御する主制御部と，をさらに有する請求項１記載のスマートウィンドウシステム。
【発明の詳細な説明】
【技術分野】
【０００１】
本発明は，スマートウィンドウシステムに関し，採光領域を繊細かつ多様に選択して調節することができ，採光領域調節の容易さと遠隔地からの調節を可能なようにし，使用の便宜性を高めるスマートウィンドウシステムに関する。
【背景技術】
【０００２】
一般に，スマートウィンドウ(smart window)は，太陽光の透過率を調節自在に作製されたウィンドウのことをいい，電子カーテン，光透過率可変ガラス，調光ガラス等とも呼ばれる。
【０００３】
従来，ガラスから室内に入り込む太陽光の透過率を調節するために，ガラス組成物に着色酸化物を加え，着色ガラスを作り，又はガラスの表面に特定の透過率を有するフィルムを付着する方式が用いられてきた。しかしながら，このような従来の方法は，太陽光に対する能動的な調節機能がなく，単に一定の光波長領域に限り，選択的に遮蔽又は透過を行う手動的な方式であった。
【０００４】
スマートウィンドウは，このような従来の問題点を解決するためのものであって，光透過率と色相等を人為的に調節可能な能動型製品であり，現在，ガラス分野の次世代製品の一つとして認識されている。
【０００５】
このようなスマートウィンドウは，単に，全領域の遮蔽又は開放形式でのみ用いられてきており，これにより，さらにブラインドを設けなければならなかった。したがって，従来のスマートウィンドウの場合，電源の印加の有無により，ウィンドウ全体の光透過率が変わるように構成されており，一部領域のみを透明又は不透明にすることが困難であった。しかしながら，このような従来の製品を用いる場合，窓全体を変色させなければならないので，応答速度が遅い，使用効率に劣るという問題点があった。
【０００６】
これを改善するために，韓国公開特許第１０‐２０１１‐００３０４１０号のスマートウィンドウ装置及びその製造方法が提案されているが，このような従来技術は，透明な高分子基材からなる上板及び下板，前記上板の一面に形成され，透明かつ導電性のある上部電極層，前記下板の一面に形成され，透明かつ導電性のある下部電極層，及び前記上部電極層及び下部電極層間に介在されるポリマー分散液晶層からなるポリマー分散液晶(PDLC)パネルと，前記ポリマー分散液晶パネルの一面に付着され，前記ポリマー分散液晶パネルを所望の面に脱・付着可能にする粘着シートと，前記上部電極層及び下部電極層に電気的に連結され，前記上部電極層及び下部電極層の駆動を制御するコントローラと，を備え，前記上部電極層及び下部電極層の少なくとも一つは多数の分割電極からなる。
【０００７】
しかしながら，このような従来技術は，以下の問題点を有している。
【０００８】
第一に，コントローラが単一であることから，採光領域を繊細かつ多様に選択して調節するのには限界があるという問題点があった。
【０００９】
第二に，採光領域の調節への便宜性を提供するためのツールについては全く考慮されておらず，使用者の便宜性を向上させ難いという問題点があった。
【００１０】
さらに，第三に，遠隔地からの採光領域の調節が不可能であり，必要な遠隔調節が不可能であるという問題点があった。
【発明の概要】
【発明が解決しようとする課題】
【００１１】
本発明は，上記問題点に鑑みなされたものであり，その目的は，ガラスを交換することなく，既存の窓に容易に適用することができ，使用者が採光領域を繊細かつ多様に選択して調節することができ，採光領域調節の容易さと，遠隔地からの調節を可能なようにし，使用の便宜性を高め，特にブルートゥース(Bluetooth)等の無線通信とタッチパネル操作により能動的に制御することができるスマートウィンドウシステムを提供することにある。
【００１２】
本発明の他の目的は，以下の実施例についての説明から容易に理解される。
【課題を解決するための手段】
【００１３】
上述した目的を達成するために，本発明の一側面によると，ポリマー分散液晶層と，前記ポリマー分散液晶層の両側面にそれぞれ設けられると共に，それぞれが多数の分割電極からなる透明導電性の第１及び第２の電極層と，前記第１及び第２の電極層のそれぞれの外側面にそれぞれ設けられると共に，透明な高分子基材からなる第１及び第２の板と，からなるポリマー分散液晶(PDLC)パネルと，前記第２板の一面に設けられ，前記ポリマー分散液晶パネルを所望の接着部位に着脱可能に付着させる粘着シートと，携帯用通信機器から出力される信号を受信する受信部と，前記受信部に受信される携帯用通信機器の信号により，前記第１及び第２の電極層のそれぞれの駆動を制御するように，前記第１及び第２の電極層のそれぞれの分割電極に連結される第１及び第２のコントローラと，を備えることを特徴とする。
【００１４】
本発明において，前記第１の電極層は，前記分割電極がストライプ又は格子状に分割形成されることを特徴とする。
【００１５】
本発明において，前記第２の電極層は，前記分割電極がストライプ又は格子状に分割形成されることを特徴とする。
【００１６】
本発明において，前記第１及び第２の電極層は，それぞれの分割電極がストライプ状に分割形成され，互いに直交する方向に配列されることを特徴とする。
【００１７】
本発明において，前記分割電極は，互いの間隔が２０〜１００μｍであることを特徴とする。
【００１８】
本発明において，前記第１又は第２の板は，前記第１又は第２の高分子基材が，ポリエステルフィルム，ポリカーボネイトフィルム，ポリメチルメタクリレートフィルム，及びポリエチレンナフタレートフィルムからなる群から選択されることを特徴とする。
【００１９】
本発明において，前記第１板は，硬度が３〜７Ｈであることを特徴とする。
【００２０】
本発明において，前記粘着シートは，ベースフィルムと，前記ベースフィルムの両側面にそれぞれ形成され，相異する剥離力を有する第１及び第２の粘着層と，を有することを特徴とする。
【００２１】
本発明において，前記第１又は第２の粘着層は，アクリル系粘着剤及びシリコン系粘着剤のいずれか一つ又は全部を主成分としてなることを特徴とする。
【００２２】
本発明において，前記第１又は第２の粘着層は，ＵＶ吸収物質及び帯電防止剤のいずれか一つ又は全部を含むことを特徴とする。
【００２３】
本発明において，前記スマートウィンドウシステムは，ハードコート層，ＵＶ吸収層，赤外線遮断層のいずれか一つ又はそれらの組合せを含むことを特徴とする。
【００２４】
本発明において，アプリケーションの駆動により，前記第１及び第２の電極層のそれぞれの分割電極による領域別光透過率を独立して制御するための信号を，前記受信部に受信させる携帯用通信機器と，前記受信部に受信された信号に応じて，前記第１及び第２のコントローラの動作を制御する主制御部と，をさらに有することを特徴とする。
【００２５】
前記第１及び第２の電極層のそれぞれの分割電極による領域別光透過率を独立して制御するための信号を，前記受信部に受信させるリモコンと，前記受信部に受信された信号に応じて，前記第１及び第２のコントローラの動作を制御する主制御部と，をさらに有することを特徴とする。
【００２６】
前記第１及び第２の電極層のそれぞれの分割電極による領域別光透過率を独立して制御するための信号を，前記受信部に受信させるタッチパネルと，前記受信部に受信された信号に応じて，前記第１及び第２のコントローラの動作を制御する主制御部と，をさらに有することを特徴とする。
【発明の効果】
【００２７】
本発明のスマートウィンドウシステムによれば，ガラスを交換することなく，既存の窓に容易に適用することができ，使用者が採光領域を繊細かつ多様に選択して調節することができ，採光領域調節の容易さと，遠隔地からの調節を可能なようにし，使用の便宜性を高め，ブルートゥース等の無線通信とタッチパネル操作により能動的に制御することができ，所望のパターン形状で採光領域の開閉を可能にする。
【図面の簡単な説明】
【００２８】
【図１】本発明の第１実施例によるスマートウィンドウシステムを示す構成図である。
【図２】本発明の第１実施例によるスマートウィンドウシステムを示すブロック図である。
【図３】本発明の第１実施例によるスマートウィンドウシステムの要部を示す斜視図である。
【図４】本発明の第２実施例によるスマートウィンドウシステムを示す構成図である。
【図５】本発明によるスマートウィンドウシステムの使用例を示す図である。
【発明を実施するための形態】
【００２９】
本発明は，様々な変更を加え，様々な実施例を有し得るので，特定の実施例を図示して詳細に説明する。しかしながら，これは，本発明を特定の実施形態に限定するものではなく，本発明の技術思想及び技術範囲に含まれる全ての変更，均等物乃至代替物を含むものと理解されなければならず，様々な他の形態に変形されてもよく，本発明の範囲が下記の実施例に限定されるものではない。
【００３０】
以下，添付した図面に基づき，本発明の好適な実施例について詳述するが，図面符号にかかわらず，同一又は対応する構成要素については同一の参照番号を付与し，これについて重複する説明を省略する。
【００３１】
図１は，本発明の第１実施例によるスマートウィンドウシステムを示す構成図であり，図２は，本発明の第１実施例によるスマートウィンドウシステムを示すブロック図であり，図３は，本発明の第１実施例によるスマートウィンドウシステムの要部を示す斜視図である。
【００３２】
図１乃至図３を参照すると，本発明の第１実施例によるスマートウィンドウシステム１０は，ポリマー分散液晶パネル(Polymer Dispersed Liquid Crystal panel,PDLC panel)１００，粘着シート２００，受信部３００，さらに第１及び第２のコントローラ４００，５００を備えてもよい。
【００３３】
ポリマー分散液晶パネル１００は，ポリマー分散液晶層１１０と，ポリマー分散液晶層１１０の両側面にそれぞれ設けられると共に，それぞれが多数の分割電極１２１，１３１からなる透明導電性の第１及び第２の電極層１２０，１３０と，第１及び第２の電極層１２０，１３０のそれぞれの外側面にそれぞれ設けられると共に，透明な高分子基材からなる第１及び第２の板１４０，１５０と，からなる。
【００３４】
ポリマー分散液晶層１１０は，液晶粒子１１１と感光性ポリマー１１２溶液とからなってもよい。ポリマー分散液晶層１１０に紫外線が照射されると，感光性ポリマー１１２が硬化されると共に，ポリマー分散液晶層１１０の内部に多数の気孔が生じ，このような気孔内に液晶粒子１１１が含まれた形態となる。電圧が印加されていない状態では，液晶を取り囲んだ感光性ポリマー１１２と液晶粒子１１１がランダムに配列されているので，光が透過せず，散乱されて不透明な状態をなす。これに対して，電圧を印加すると，液晶粒子１１１が分極し，一定の規則性を有して配列され，感光性ポリマー１１２分子もその透過軸に沿って配列される。このように液晶粒子１１１と感光性ポリマー１１２分子が一定の配列を有する場合，ポリマー分散液晶パネル１００に入射した光が透過され，その結果，透明な状態となる。したがって，第１及び第２の電極層１２０，１３０に電圧を印加し，電解を形成することにより，採光領域，すなわち，光の透過度を調節することができる。
【００３５】
液晶粒子１１１は，例えば，シアノ‐ビフェニル(Cyano-Biphenyl)系単一液晶が混合された混合液晶，ビフェニルメソゲン(Biphenyl Mesogen)にフルオルが置換された単一液晶が混合された混合液晶，ターシャリーフェニル(Ter-Phenyl)及びビフェニル系単一液晶が混合された混合液晶が用いられる。また，感光性ポリマー１１２は，例えば，ポリビニルアルコール系，エポキシ系，又はウレタンアクリレート系のポリマーマトリックスが用いられる。
【００３６】
ポリマー分散液晶層１１０には，界面活性剤が含まれてもよいが，界面活性剤としては，例えば，ステアリルメタクリレート(Stearly Methacrylate)が用いられる。このような界面活性剤がポリマー分散液晶層１１０に加えられると，電圧印加時，感光性ポリマー１１２と液晶粒子１１１の配向変更がさらに容易に行われるので，駆動電圧を低くすることができる。
【００３７】
第１及び第２の板１４０，１５０は，一つの例示として，それぞれ上板と下板となり，投光性のある高分子基材からなるが，ここで，高分子基材は，ポリエステル(Polyester,PET)フィルム，ポリカーボネイト(Polycarbonate,PC)フィルム，ポリメチルメタクリレート(Polymethylmethacrylate,PMMA)フィルム，及びポリエチレンナフタレート(Polyethylene Naphthalate,PEN)フィルムのような透明な材質の高分子フィルムが用いられ，一例として，ポリエステルフィルムが用いられてもよい。このように，ポリマー分散液晶パネル１００は，既存のスマートウィンドウ装置において用いられるガラス基板を用いていないので，複雑なガラス接合工程を経なくてもよい。
【００３８】
第１板１４０は，一例として，表面に露出した面であっても，露出した外側に向かう面であってもよいが，表面の硬度が３〜７Ｈであることが好ましい。したがって，第１板１４０は，このような表面の硬度のため，損傷し難くなり，ガラス基板無しでも，単独で用いられるようにする。このため，第１板１４０は，硬度の高い材質で製造されたプラスチックフィルムを用い，又は既存のプラスチックフィルム上にハードコート層を形成してもよい。また，第１及び第２の板１４０，１５０は，互いに対向するそれぞれの一面に，第１及び第２の電極層１２０，１３０が一例としてコートにより設けられてもよい。
【００３９】
第１及び第２の電極層１２０，１３０は，ポリマー分散液晶層１１０と接して形成され，ポリマー分散液晶層１１０に電圧を印加する機能を行う。また，第１及び第２の電極層１２０，１３０は，例えば，第１及び第２の板１４０，１５０をなす高分子基材上にＩＴＯ，ＩＺＯ，ＡＴО，グラフェン(graphene)，ＰＥＤОＴ(Poly3,4-EthyleneDiOxyThiophene)，ＣＮＴ(Carbon Nano Tube,カーボンナノチューブ）のような透明電極材料を蒸着又はコートすることにより形成される。
【００４０】
第１及び第２の電極層１２０，１３０のそれぞれは，多数の分割電極１２１，１３１からなるが，第１の電極層１２０の分割電極１２１のそれぞれは，第１のコントローラ５００により，第２の電極層１３０の分割電極１３１のそれぞれは，第２のコントローラ６００により，独立して駆動することにより，一つのスマートウィンドウシステム１０内において，光が透過される領域である透明領域と，光が透過されない領域である不透明領域を選択して具現可能であるだけでなく，第１及び第２のコントローラ５００，６００のデュアル制御により，第１及び第２の電極層１２０，１３０が互いに独立して個別制御されることにより，スマートウィンドウシステム１０内において，光透過領域の制御を繊細かつ多様に行い，使用者の満足感を高めることができる。
【００４１】
第１及び第２の電極層１２０，１３０のそれぞれは，透明電極層に対するレーザを用いたエッチング工程により，多数の分割電極１２１，１３１を形成することができる。また，第１及び第２の電極層１２０，１３０のいずれか一つ又は全部は，分割電極１２１，１３１が，本実施例のように，矩形状からなり，多数が並んで配列されるストライプ状に分割形成され，又は他の例として，四角形が前後及び左右に多数配列される格子状に分割形成されてもよく，その他，多様なパターンや構造に分割形成されても，必要に応じて，文字やグラフィックを具現可能なパターンで形成されてもよい。
【００４２】
第１及び第２の電極層１２０，１３０は，それぞれの分割電極１２１，１３１がストライプ状に分割形成される場合，それぞれの分割電極１２１，１３１が互いに直交する方向に配列されて形成される。例えば，第１の電極層１２０の分割電極１２１は，横方向に配列され，第２の電極層１３０の分割電極１３１は，縦方向に配列され，これにより，互いに直交する方向に配列され，他の例として，これとは互いに反対方向に配列されてもよい。このように，第１及び第２の電極層１２０，１３０のそれぞれの分割電極１２１，１３１が，横方向と縦方向に交差することにより，分割電極１２１，１３１間にマトリックス状に重ね合い，スマートウィンドウシステム１０の領域別光透過率を繊細かつ多様に調節することができる。
【００４３】
第１及び第２の電極層１２０，１３０のそれぞれの分割電極１２１，１３１は，互いの間隔ｄが２０〜１００μｍであってもよい。分割電極１２１，１３１の間隔が２０μｍ未満であると，作製の困難乃至作製時の損傷を生じ，通電による作動の困難があり，１００μｍ超過であると，スマートウィンドウシステム１０の外観を損なうだけでなく，光の透過による光漏れ現象が生じ得る。
【００４４】
粘着シート２００は，第２板１５０の一面に設けられ，ポリマー分散液晶パネル１００を所望の接着部位に着脱可能に付着させ，このため，ポリマー分散液晶パネル１００において，ガラス窓等に着脱可能に付着されるための面に設けられてもよく，粘着力を有する粘着層からなってもよいが，一例として，ベースフィルム２１０と，ベースフィルム２１０の両側面にそれぞれ形成され，相違した剥離力を有する第１及び第２の粘着層２２０，２３０を有し，第２の粘着層２３０に付着される離型紙２４０をさらに有してもよい。
【００４５】
ベースフィルム２１０は，透明な高分子素材フィルム，例えば，ポリエチレンテレフタレート(PET)フィルムが用いられ，１０〜１００μｍ程度であってもよい。
【００４６】
第１及び第２の粘着層２２０，２３０は，アクリル系粘着剤及びシリコン系粘着剤のいずれか一つ又は全部を主成分としていてもよい。
【００４７】
第１の粘着層２２０は，ベースフィルム２１０の一面，例えば，ポリマー分散液晶層１１０側の面に形成され，アクリル系粘着剤，その中でも，アクリレート共重合体，メタクリレート共重合体，又はそれらの組合せを主成分とするアクリル系粘着剤であってもよい。また，第１の粘着層２２０は，剥離力（剥離力測定条件：３００ｍｍ／ｍｉｎ，２ｋｇスタンダードローラ）が４００ｇ／２５ｍｍ以上，例えば，４００ｇ／２５ｍｍ〜６００ｇ／２５ｍｍ程度であってもよい。
【００４８】
第２の粘着層２３０は，ベースフィルム２１０の他面，例えば，第１の粘着層２２０が形成された面の反対面に形成され，例えば，シリコン系粘着剤，この中でも，シリコンゴムやシリコン樹脂等を主成分とするシリコン系粘着剤であってもよい。また，第２の粘着層２３０の剥離力（剥離力測定条件：３００ｍｍ／ｍｉｎ，２ｋｇスタンダードローラ）は，３ｇ／２５ｍｍ〜１２ｇ／２５ｍｍ，例えば，６〜７ｇ／２５ｍｍであってもよい。
【００４９】
離型紙２４０は，粘着剤，接着剤，粘弱剤等の接着面を保護するために用いられるものであって，第２の粘着層２３０上に付着される。したがって，外側に露出した第２の粘着層２３０に離型紙２４０を付着することにより，第２の粘着層２３０に異物が吸着されて付着力が低下することを防止するだけでなく，運搬及び保管が容易となる。また，離型紙２４０は，必要に応じて，帯電防止処理されるが，帯電防止処理は，帯電防止剤を含む樹脂組成物を用いて，離型紙２４０の表面をコートし，又は離型紙２４０の内部に帯電防止剤を加える方法で行われる。したがって，帯電防止処理された離型紙２４０の使用により，ガラス窓に付着時，施工性に優れる。ここで，帯電防止剤は，例えば，リチウム‐アミド系帯電防止剤，ポリエステル系帯電防止剤等が用いられる。
【００５０】
粘着シート２００は，第１及び第２の粘着層２２０，２３０が相違した粘着剤を用いて，剥離力を異ならせてもよいが，ポリマー分散液晶パネル１００に付着される第１の粘着層２２０は，相対的に剥離力の強い粘着剤を用いて，ポリマー分散液晶パネル１００から容易に分離されることを防止し，ガラス窓に付着される第２の粘着層２３０は，相対的に剥離力の弱い粘着剤を用いて，着脱を容易にする。
【００５１】
第１又は第２の粘着層２２０，２３０は，ＵＶ吸収物質及び帯電防止剤のいずれか一つ又は全部が含まれてもよい。ここで，ＵＶ吸収物質は，紫外線による液晶層や粘着層の黄変を防止するためのものであって，例えば，サリチル酸フェニル(Phenyl Salicylates)，ベンゾフェノン(Benzophenone)，ベンゾトリアゾール(Benzotriazole)が用いられる。また，帯電防止剤は，第１又は第２の粘着層２２０，２３０に静電気が生じ，異物により汚染され，付着力が弱化することを防止するためのものである。帯電防止剤としては，例えば，リチウム‐アミド系帯電防止剤，ポリエステル系帯電防止剤等が用いられる。
【００５２】
受信部３００は，携帯用通信機器７１０から出力される信号を受信するが，このため，携帯用通信機器７１０との通信方式に応じて，ブルートゥース，ワイ・ファイ(Wi-Fi)又はイーサネット(ethernet)のような無線通信を行わせる無線通信モジュール３１０を有してもよい。一方，受信部３００は，携帯用通信機器７１０以外にも，赤外線通信による信号を送信するリモコン７２０の信号を受信するためのリモコン受信部３２０と，タッチパネル７３０の入力信号を受信するために，タッチパネル７３０に接続するためのコネクタ部３３０と，を有し，これに限らず，多様な有・無線通信が可能なモジュールを有してもよい。
【００５３】
第１及び第２のコントローラ５００，６００は，受信部４００に受信される携帯用通信機器７１０の信号により，第１及び第２の電極層１２０，１３０のそれぞれの駆動を制御するため，第１及び第２の電極層１２０，１３０のそれぞれの分割電極１２１，１３１に電気的に連結される。すなわち，第１のコントローラ５００は，第１の電極層１２０の分割電極１２１毎に電気的に連結され，第２のコントローラ６００は，第２の電極層１３０の分割電極１３１毎に電気的に連結される。
【００５４】
第１及び第２のコントローラ５００，６００は，第１及び第２の電極層１２０，１３０の分割電極１２１，１３１のそれぞれに対する制御により，スマートウィンドウシステム１０内において，光が透過される領域である透明領域と，光が透過されない領域である不透明領域を選択して具現可能にする。第１及び第２のコントローラ５００，６００は，周知の方法により，第１及び第２の電極層１２０，１３０の分割電極１２１，１３１のそれぞれに電気的に連結されるが，例えば，フレキシブルプリント回路基板(FPCB)のような連結手段を用いて電気的に連結されてもよい。また，第１及び第２のコントローラ５００，６００は，外部電源供給装置と連結されるケーブルが設けられてもよい。
【００５５】
第１及び第２のコントローラ５００，６００のそれぞれは，第１及び第２の電極層１２０，１３０の分割電極１２１，１３１に印加する電圧により電界を形成することにより，ポリマー分散液晶層１１０への光の透過度を調節するが，携帯用通信機器７１０から受信部３００により受信される信号に対応するように，分割電極１２１，１３１のそれぞれに印加される電圧を独立して調節する。第１及び第２のコントローラ５００，６００は，一例として，互いに独立してそれぞれ担当する分割電極１２１，１３１にのみ電圧を印加し，又は，他の例として，互いに独立してそれぞれ担当する分割電極１２１，１３１のみならず，相手方が担当する分割電極１２１，１３１にも電圧を印加してもよく，また他の例として，相互間の連動により，それぞれ担当する分割電極１２１，１３１に電圧を印加してもよく，その他，多様な方式により分割電極１２１，１３１に電圧を印加することができる。
【００５６】
本発明の第１の実施例によるスマートウィンドウシステム１０は，上述した携帯用通信機器７１０，リモコン７２０，及びタッチパネル７３０のいずれか一つ又はそれらの組合せをさらに備えてもよい。
【００５７】
携帯用通信機器７１０は，アプリケーションの駆動により，第１及び第２の電極層１２０，１３０のそれぞれの分割電極１２１，１３１による領域別光透過率を独立して制御するための信号を，受信部３００，例えば，無線通信モジュール３１０に受信されるようにする。携帯用通信機器７１０は，一例として，スマートフォン，タブレット型パソコン等を始めとして，携帯可能な多様な通信機器が用いられる。図５では，携帯用通信機器７１０のディスプレイ部がタッチパネル７１１からなることにより，タッチパネル７１１のタッチ操作により，ポリマー分散液晶パネル１００に対する透過領域を調節する動作の一例を示す。
【００５８】
リモコン７２０は，第１及び第２の電極層１２０，１３０のそれぞれの分割電極１２１，１３１による領域別光透過率を独立して制御するための信号を，受信部３００，例えば，リモコン受信部３２０に受信されるようにする。リモコン７２０は，一例として，赤外線を用いて信号を送信させることができ，その他，多様なリモートコントロール方式を用いることができる。
【００５９】
タッチパネル７３０は，第１及び第２の電極層１２０，１３０のそれぞれの分割電極１２１，１３１による領域別光透過率を独立して制御するための信号を，受信部３００，例えば，コネクタ部３３０を介して受信されるようにする。タッチパネル７３０は，アプリケーションやプログラムの駆動により動作する情報処理機器が用いられ，これだけでなく，スマートウィンドウシステム１０の制御のための専用のタッチパネル入力装置が用いられてもよい。
【００６０】
第１及び第２のコントローラ５００，６００は，受信部３００を介して受信される信号のうち，定められた信号を受信し，該信号に対応する動作を行うように，分割電極１２１，１３１のそれぞれに対して印加される電圧を制御することができ，これとは異なり，別途の主制御部８００により割り当てられる制御信号を受信し，該信号に対応する動作を行うように，分割電極１２１，１３１のそれぞれに対して印加される電圧を制御することができる。
【００６１】
主制御部８００は，携帯用通信機器７１０やリモコン７２０又はタッチパネル７３０から受信部３００に受信された信号により，第１及び第２のコントローラ５００，６００の動作を制御することができる。
【００６２】
図４に示すように，本発明の第２の実施例によるスマートウィンドウシステムによると，ハードコート層４１０，ＵＶ吸収層４２０，赤外線遮断層のいずれか一つ又はそれらの組合せを備えてもよい。例えば，ハードコート層４１０は，第１板１４０の上面の表面に，スクラッチから製品を保護するために設けられる。このようなハードコート層４１０は，第１板１４０の表面にＵＶ硬化性又は熱硬化性樹脂，例えば，エポキシ，ポリエステル系アクリル樹脂，又はシリコン樹脂を塗布してから，硬化させる方法で形成され，例えば，スプレーコートを行い，又はマイクログラビアコートで形成され，ハードコート層が形成されたフィルムの付着で形成されてもよい。
【００６３】
本発明の第２の実施例によるスマートウィンドウシステムによると，紫外線により，ポリマー分散液晶層１１０や第１及び第２の粘着層２２０，２３０が黄変することを防止するためのＵＶ吸収層４２０が形成されるが，このようなＵＶ吸収層４２０は，第２板１５０と粘着シート２００との間に形成され，サリチル酸フェニル，ベンゾフェノン，ベンゾトリアゾールのようなＵＶ吸収物質をコート液に加えた後，これを用いて塗布して硬化させる方法で形成され，又はＵＶ遮断フィルムの接着により形成されてもよい。また，断熱及びエネルギー節減機能を付与するための赤外線遮断層が，ポリマー分散液晶パネル１００の表面又は粘着シート２００の表面や内部に設けられてもよい。
【００６４】
このような本発明によるスマートウィンドウシステムによれば，ガラスを交換することなく，既存の窓に容易に適用することができ，使用者が採光領域を繊細かつ多様に選択して調節することができ，採光領域調節の容易さと，遠隔地からの調節を可能とし，使用の便宜性を高め，ブルートゥース等の無線通信とタッチパネル操作を用いて能動的に制御することができ，所望のパターン形状で採光領域の開閉を可能にする。
【００６５】
以上，添付した図面に基づき，本発明について説明したが，本発明の技術的思想を逸脱しない範囲内で，様々な修正及び変形が行われ得ることは勿論である。そのため，本発明の範囲は，説明された実施例に限定されず，後述する特許請求の範囲のみならず，このような特許請求の範囲と均等なものにより定められなければならない。
【００６６】
発明の実施形態
上述した目的を達成するために，本発明の一側面によると，ポリマー分散液晶層と，前記ポリマー分散液晶層の両側面にそれぞれ設けられると共に，それぞれが多数の分割電極からなる透明導電性の第１及び第２の電極層と，前記第１及び第２の電極層のそれぞれの外側面にそれぞれ設けられると共に，透明な高分子基材からなる第１及び第２の板と，からなるポリマー分散液晶(PDLC)パネルと，前記第２板の一面に設けられ，前記ポリマー分散液晶パネルを所望の接着部位に着脱可能に付着させる粘着シートと，携帯用通信機器から出力される信号を受信する受信部と，前記受信部に受信される携帯用通信機器の信号により，前記第１及び第２の電極層のそれぞれの駆動を制御するための，前記第１及び第２の電極層のそれぞれの分割電極に連結される第１及び第２のコントローラと，を備えるスマートウィンドウシステムが提供される。
【００６７】
前記第１の電極層は，前記分割電極がストライプ又は格子状に分割形成されてもよい。
【００６８】
前記第２の電極層は，前記分割電極がストライプ又は格子状に分割形成されてもよい。
【００６９】
前記第１及び第２の電極層は，それぞれの分割電極がストライプ状に分割形成され，互いに直交する方向に配列されるようにしてもよい。
【００７０】
前記分割電極は，互いの間隔が２０〜１００μｍであってもよい。
【００７１】
前記第１又は第２の板は，前記第１又は第２の高分子基材が，ポリエステルフィルム，ポリカーボネイトフィルム，ポリメチルメタクリレートフィルム，及びポリエチレンナフタレートフィルムからなる群から選ばれてもよい。
【００７２】
前記第１板は，硬度が３〜７Ｈであってもよい。
【００７３】
前記粘着シートは，ベースフィルムと，前記ベースフィルムの両側面にそれぞれ形成され，相違した剥離力を有する第１及び第２の粘着層と，を有してもよい。
【００７４】
前記第１又は第２の粘着層は，アクリル系粘着剤及びシリコン系粘着剤のいずれか一つ又は全部を主成分としていてもよい。
【００７５】
前記第１又は第２の粘着層は，ＵＶ吸収物質及び帯電防止剤のいずれか一つ又は全部が含まれてもよい。
【００７６】
前記スマートウィンドウシステムは，ハードコート層，ＵＶ吸収層，赤外線遮断層のいずれか一つ又はそれらの組合せが含まれてもよい。
【００７７】
アプリケーションの駆動により，前記第１及び第２の電極層のそれぞれの分割電極による領域別光透過率を独立して制御するための信号を，前記受信部に受信させる携帯用通信機器と，前記受信部に受信された信号に応じて，前記第１及び第２のコントローラの動作を制御する主制御部と，をさらに有してもよい。
【００７８】
前記第１及び第２の電極層のそれぞれの分割電極による領域別光透過率を独立して制御するための信号を，前記受信部に受信させるリモコンと，前記受信部に受信された信号に応じて，前記第１及び第２のコントローラの動作を制御する主制御部と，をさらに有してもよい。
【００７９】
前記第１及び第２の電極層のそれぞれの分割電極による領域別光透過率を独立して制御するための信号を，前記受信部に受信させるタッチパネルと，前記受信部に受信された信号に応じて，前記第１及び第２のコントローラの動作を制御する主制御部と，をさらに有してもよい。
【産業上の利用可能性】
【００８０】
本発明は，採光用建具において産業上利用可能である。
【符号の説明】
【００８１】
１００    ポリマー分散液晶パネル
１１０    ポリマー分散液晶層
１１１    液晶粒子
１１２    感光性ポリマー
１２０    第１の電極層
１２１    分割電極
１３０    第２の電極層
１３１    分割電極
１４０    第１板
１５０    第２板
２００    粘着シート
２１０    ベースフィルム
２２０    第１の粘着層
２３０    第２の粘着層
２４０    離型紙
３００    受信部
３１０    無線通信モジュール
３２０    リモコン受信部
３３０    コネクタ部
４１０    ハードコート層
４２０    ＵＶ吸収層
５００    第１のコントローラ
６００    第２のコントローラ
７１０    携帯用通信機器
７１１    タッチパネル
７２０    リモコン
７３０    タッチパネル
８００    主制御部
【図１】
2016533445.tif 000003
【図２】
2016533445.tif 000004
【図３】
2016533445.tif 000005
【図４】
2016533445.tif 000006
【図５】
2016533445.tif 000007
【国際調査報告】
2016533445.tif 000008
2016533445.tif 000009
2016533445.tif 000010
2016533445.tif 000011